(57)【要約】【課題】端子台の柱状部がプリント基板の孔部に誤挿入されることによるプリント基板の破損を防止し得る電気機器を提供する。【解決手段】端子台１は、平面視における外形が略正方形状である天板部１ａ，１ｂと、平面視における天板部１ａ，１ｂの４隅に接続された４つの柱状部１ｃ〜１ｆとを含む。プリント基板２には、上記４つの柱状部１ｃ〜１ｆの各々が挿入されている４つの孔部２ｃ〜２ｆが配置されている。上記４つの柱状部１ｃ〜１ｆは、略正方形状の天板部の１の対角に配置された第１組の柱状部１ｃ，１ｅを含む。上記第１組の柱状部１ｃ，１ｅは、上記４つの孔部のうち第１の対角に配置された第１組の孔部２ｃ，２ｅに挿入され得るが、上記４つの孔部のうち第２の対角に配置された第２組の孔部２ｄ，２ｆに挿入され得ない。【選択図】図２
2018081863.tif 000002
【特許請求の範囲】
【請求項１】
プリント基板と、前記プリント基板に取り付けられた端子台とを備える電気機器であって、
前記端子台は、平面視における外形が略正方形状である天板部と、平面視における前記天板部の４隅に接続された４つの柱状部とを含み、
前記プリント基板には、前記４つの柱状部の各々が挿入されている４つの孔部が配置されており、
前記４つの柱状部は、略正方形状の前記天板部の１の対角に配置された第１組の柱状部を含み、
前記第１組の柱状部は、前記４つの孔部のうち第１の対角に配置された第１組の孔部に挿入され得るが、前記４つの孔部のうち第２の対角に配置された第２組の孔部に挿入され得ない、電気機器。
【請求項２】
前記４つの柱状部は、略正方形状の前記天板部の他の対角に配置された第２組の柱状部をさらに含み、
前記第１組の柱状部の各々の平面視における短手方向の長さに対する長手方向の長さの比率は、前記第２組の柱状部の各々の平面視における前記短手方向の長さに対する前記長手方向の長さの比率よりも大きく、
前記第１組の孔部の各々の平面視における前記短手方向の長さに対する前記長手方向の長さの比率は、前記第２組の孔部の各々の平面視における前記短手方向の長さに対する前記長手方向の長さの比率よりも大きい、請求項１に記載の電気機器。
【請求項３】
前記第１組の柱状部の各々の平面視における前記短手方向の長さは、前記第２組の柱状部の各々の平面視における前記短手方向の長さと等しく、
前記第１組の孔部の各々の平面視における前記短手方向の孔径は、前記第２組の孔部の各々の平面視における前記短手方向の孔径と等しい、請求項２に記載の電気機器。
【請求項４】
前記端子台を実装するケース部をさらに備え、
前記ケース部は、平面視において略正方形状の前記天板部の第１辺以外の３辺を囲む側壁部を有しており、
前記４つの柱状部は、前記第１辺に沿って配置された第１の柱状部と第２の柱状部とを有し、
前記端子台は、前記第１の柱状部と前記第２の柱状部との間に位置し、かつ前記第１辺と接続された壁部をさらに含む、請求項２または３に記載の電気機器。
【請求項５】
前記電気機器は、漏電安全装置である、請求項１〜４のいずれか１項に記載の電気機器。
【発明の詳細な説明】
【技術分野】
【０００１】
本発明は、電気機器に関し、特にプリント基板に取り付けられた端子台を備える電気機器に関する。
【背景技術】
【０００２】
従来、プリント基板に取り付けられた端子台を備える電気機器が知られている。このような電気機器は、例えば実開昭６４−００１４７２号公報（特許文献１）に開示されている。
【０００３】
実開昭６４−００１４７２号公報には、ネジなどにより該端子台に外部から引き回された電気配線が締結されることにより、外部と電気的に接続される電気機器が開示されている。
【０００４】
端子台は、天板部と、４つの柱状部とを含む。天板部は、平面視において略正方形状を有する。４つの柱状部は、天板部の４隅にそれぞれ接続されている。プリント基板には、４つの孔部が配置されている。４つの柱状部の各々は、プリント基板の４つの孔部の各々に挿入される。これにより、端子台がプリント基板に取り付けられる。
【先行技術文献】
【特許文献】
【０００５】
【特許文献１】実開昭６４−００１４７２号公報
【発明の概要】
【発明が解決しようとする課題】
【０００６】
従来の上記電気機器では、端子台がプリント基板に取り付けられる際に、端子台が本来取り付けられるべき向きに対し誤って９０度回転された状態でプリント基板に取り付けられる場合がある。この場合、端子台の４つの柱状部の各々が、プリント基板の４つの孔部の各々に無理に差し込まれる。このように柱状部が孔部に誤って挿入された場合、プリント基板には応力が印加され、プリント基板が破損し易い。
【０００７】
本発明の目的は、端子台の柱状部がプリント基板の孔部に誤挿入されることによるプリント基板の破損を防止し得る電気機器を提供することにある。
【課題を解決するための手段】
【０００８】
本発明の電気機器は、プリント基板と、プリント基板に取り付けられた端子台とを備える電気機器である。上記端子台は、平面視における外形が略正方形状である天板部と、平面視における天板部の４隅に接続された４つの柱状部とを含む。上記プリント基板には、４つの柱状部の各々が挿入されている４つの孔部が配置されている。上記４つの柱状部は、略正方形状の天板部の１の対角に配置された第１組の柱状部を含む。上記第１組の柱状部は、４つの孔部のうち第１の対角に配置された第１組の孔部に挿入され得るが、４つの孔部のうち第２の対角に配置された第２組の孔部に挿入され得ない。
【０００９】
このような電気機器は、端子台が本来取り付けられるべき向きに対し誤って９０度回転された状態でプリント基板に取り付けられる誤挿入を防止し得る。その結果、端子台の柱状部がプリント基板の孔部に誤挿入されることによるプリント基板の破損を防止し得る。さらに当該電気機器によれば、平面視における天板部の外形を長方形状とすることなく、上記誤挿入を防止し得る。そのため、このような電気機器は、風呂釜付き給湯装置に装備される漏電安全装置など、端子台の寸法に対して厳しい制限が課されている電気機器に好適である。
【００１０】
上記電気機器では、上記４つの柱状部は、略正方形状の天板部の他の対角に配置された第２組の柱状部をさらに含む。上記第１組の柱状部の各々の平面視における短手方向の長さに対する長手方向の長さの比率は、第２組の柱状部の各々の平面視における上記短手方向の長さに対する上記長手方向の長さの比率よりも大きい。上記第１組の孔部の各々の平面視における上記短手方向の長さに対する上記長手方向の長さの比率は、第２組の孔部の各々の平面視における上記短手方向の長さに対する上記長手方向の長さの比率よりも大きい。
【００１１】
このような電気機器によれば、４つの柱状部および４つの孔部の各々について、上記短手方向の長さに対する上記長手方向の長さの比率が大きい長方形状とすることなく、上記取り付けられるべき向きに対し誤って９０度回転された端子台がプリント基板に取り付けられることを防止し得る。
【００１２】
また、このような電気機器によれば、上記取り付けられるべき向きに対し１８０度回転された端子台がプリント基板に取り付けられることを許容し得るが、上記取り付けられるべき向きに対し誤って９０度回転された端子台がプリント基板に取り付けられることを防止し得る。
【００１３】
上記電気機器では、上記第１組の柱状部の各々の平面視における短手方向の長さは、第２組の柱状部の各々の平面視における上記短手方向の長さと等しい。上記第１組の孔部の各々の平面視における上記短手方向の孔径は、第２組の孔部の各々の平面視における上記短手方向の孔径と等しい。
【００１４】
このような電気機器によれば、４つの孔部が占める面積を大きく増加させることなく、上記第１組の孔部の各々における短手方向の長さに対する長手方向の長さの比率を、第２組の孔部の各々における上記短手方向の長さに対する上記長手方向の長さの比率よりも大きくすることができる。つまり、上記電気機器によれば、プリント基板の強度を低下させることなく、上記第１組の孔部の各々における短手方向の長さに対する長手方向の長さの比率を、第２組の孔部の各々における上記短手方向の長さに対する上記長手方向の長さの比率よりも大きくすることができる。
【００１５】
上記電気機器は、端子台を実装するケース部をさらに備える。上記ケース部は、平面視において略正方形状の天板部の第１辺以外の３辺を囲む側壁部を有している。上記４つの柱状部は、第１辺に沿って配置された第１の柱状部と第２の柱状部とを有している。上記端子台は、第１の柱状部と第２の柱状部との間に位置し、かつ第１辺と接続された壁部をさらに含む。
【００１６】
このような電気機器によれば、壁部により、第１の柱状部と第２の柱状部との間に塵埃等の異物が侵入することを抑制することができる。
【００１７】
上記電気機器は、漏電安全装置である。上記電気機器は、従来の電気機器と比べて、端子台の寸法を増したり、プリント基板の強度を低下させたりすることなく、端子台が当該取り付けられるべき向きに対し誤って９０度回転された状態でプリント基板に取り付けられることを十分に防止し得る。そのため、上記電気機器は、端子台の寸法およびプリント基板の強度に対して厳しい制限が課されている漏電安全装置に好適である。
【発明の効果】
【００１８】
本発明によれば、端子台が本来取り付けられるべき向きに対し誤って９０度回転された状態でプリント基板に取り付けられることを十分に防止し得る電気機器を提供することができる。
【図面の簡単な説明】
【００１９】
【図１】本発明の一実施の形態における電気機器の例として漏電安全装置の構成を示す斜視図である。
【図２】図１に示す漏電安全装置の端子部およびケース部を示す部分斜視図である。
【図３】図１に示す漏電安全装置のケース部の内部に収容されている端子部とプリント基板との接続部を示す部分斜視図である。
【図４】図３に示す端子部の平面図である。
【図５】図３に示す端子部の側面図である。
【図６】図３に示す端子部の側面図である。
【図７】図３に示すプリント基板の平面図である。
【図８】図７に示すプリント基板の変形例を示す平面図である。
【図９】図７に示すプリント基板の他の変形例を示す平面図である。
【図１０】図７に示すプリント基板のさらに他の変形例を示す平面図である。
【図１１】図７に示すプリント基板のさらに他の変形例を示す平面図である。
【図１２】図７に示すプリント基板のさらに他の変形例を示す平面図である。
【図１３】比較例の漏電安全装置の端子台を示す斜視図である。
【図１４】比較例の漏電安全装置のプリント基板を示す平面図である。
【図１５】比較例の漏電安全装置において、取り付けられるべき向きに対し誤って９０度回転された状態でプリント基板に取り付けられた端子部およびケース部を示す部分斜視図である。
【発明を実施するための形態】
【００２０】
以下、図面を参照して、本発明の実施の形態について説明する。なお、以下の図面において同一または相当する部分には同一の参照番号を付しその説明は繰返さない。
【００２１】
＜漏電安全装置の構成＞
図１に示されるように、本発明の一実施の形態における電気機器の例としての漏電安全装置１０は、端子台１と、プリント基板２と、座金３と、ネジ４と、ケース部５と、カバー６とを主に備えている。
【００２２】
端子台１、プリント基板２および座金３の各々には、貫通孔（図示せず）が形成されている。ネジ４は、端子台１および座金３の各々の貫通孔にねじ込まれてプリント基板２に挿通されている。これにより、端子台１、座金３およびネジ４は、プリント基板２に取り付けられている。
【００２３】
端子台１、プリント基板２、座金３、およびネジ４は、入出力線（図示せず）をケース部５内の電気回路に電気的に接続するための部分である。ネジ４は、入出力線の心線が端子台１と座金３との間に挟まれた状態で、端子台１および座金３の各々の貫通孔にねじ込まれてプリント基板２に挿通され得る。これにより入出力線の心線は端子台１と座金３との間に固定され、かつ端子台１を介在してケース部５内の電気回路と電気的に接続される。ケース部５内の電気回路は、プリント基板２上に配置されている。漏電安全装置１０は、端子台１、座金３、およびネジ４の各々を複数（例えば４個）備えている。
【００２４】
ケース部５は、端子台１、プリント基板２および座金３を実装している。図１および図２に示されるように、ケース部５は、その外表面に対して凹状である複数（例えば４個）の凹部５ａを有している。４つの凹部５ａの各々は、第１方向Ａに沿って並んで配置されている。４つの凹部５ａの各々は、第１方向Ａと交差する第２方向Ｂにおけるケース部５の端部（前端部）に配置されている。４つの凹部５ａの各々の底部には、端子台１の天板部１ａ，１ｂ（詳細は後述する）、座金３およびネジ４が配置されている。
【００２５】
４つの凹部５ａは、第１方向Ａおよび第２方向Ｂと交差する第３方向Ｃにおける一方の側に開口している第１開口部と、第１開口部と接続されており、かつ第２方向Ｂにおける一方の側（前方）に開口している第２開口部とを有している。第１開口部は、第１方向Ａにおける両端および第２方向Ｂにおける一端（後端）が側壁部５ｂにより構成されている。第２開口部は、第１方向Ａにおける両端が側壁部５ｂにより構成され、第３方向Ｃにおける一端（前端）が前縁部５ｃにより構成されている。なお、本実施の形態では、説明の便宜上、第２方向Ｂにおいて凹部５ａが位置する側を漏電安全装置１０の前とよぶ。
【００２６】
側壁部５ｂは、平面視において天板部１ａ，１ｂの第１辺１ｂａ（詳細は後述する）以外の３辺を囲んでいる。ここで、平面視とは、第３方向Ｃから視ることをいう。前縁部５ｃは、凹部５ａの上記第２開口部の一端を成しており、第２方向Ｂにおけるケース部５の端部（前端部）に配置されている。前縁部５ｃは、平面視において天板部１ａ，１ｂの第１辺１ｂａと第２方向Ｂにおいて対向している。
【００２７】
カバー６は、ケース部５の凹部５ａを開閉可能なように、ケース部５に回転可能に取り付けられている。具体的には、カバー６は、端子台１が配置される凹部５ａの第１開口部を開閉可能なようにケース部５に取り付けられている。カバー６が開いた状態においては、図１に示されるように凹部５ａの第１開口部が解放されている。またカバー６が閉じた状態においては、凹部５ａの第１開口部が閉塞される。
【００２８】
漏電安全装置１０は、例えば給湯装置の内部に取り付けられる。漏電安全装置１０は、給湯装置の内部に取り付けられた状態では、例えば第２方向Ｂが鉛直方向に沿うとともに、第３方向Ｃが給湯装置の正面外側を向くように配置される。このとき、凹部５ａの上記第１開口部は給湯装置の正面外側を向き、凹部５ａの上記第２開口部は下側を向く。言い換えると、端子台１の天板部１ａ，１ｂは、給湯装置の正面外側を向き、ケース部５の前縁部５ｃは、例えば端子台１よりも下方に配置される。
【００２９】
＜端子台およびプリント基板の具体的構成＞
図３〜図６に示されるように、端子台１は、天板部１ａ，１ｂと、複数（例えば４個）の柱状部１ｃ〜１ｆと、複数（例えば２個）の壁部１ｇとを含む。
【００３０】
図３に示されるように、天板部１ａ，１ｂは、プリント基板２において上記貫通孔が形成されている面に沿って延在している。
【００３１】
図４に示されるように、平面視における天板部１ａ，１ｂの外形は、略正方形状である。ここで、略正方形状とは、一辺の長さに対する当該一辺と交差する他の一辺の長さの比率が１以上１．５以下であることをいう。平面視において、天板部１ａ，１ｂの第１辺１ｂａは第１方向Ａに延在し、当該第１辺１ｂａと交差する天板部１ａ，１ｂの第２辺は第２方向Ｂに延在している。
【００３２】
図４に示されるように、天板部１ａ，１ｂの第１方向Ａの長さＬ１に対する天板部１ａ，１ｂの第２方向Ｂの長さＬ２の比率は、例えば１である。
【００３３】
図３〜図６に示されるように、天板部１ａ，１ｂは、例えば１つの平板部１ａと２つの屈曲部１ｂとを有している。平板部１ａの第２方向Ｂにおける一端は１つの屈曲部１ｂと接続されており、平板部１ａの第２方向Ｂにおける他端は他の１つの屈曲部１ｂと接続されている。つまり、平板部１ａは、第２方向Ｂにおいて２つの屈曲部１ｂに挟まれている。
【００３４】
図４に示されるように、平板部１ａには、ネジ４がねじ込まれるための孔部１ｈが形成されている。孔部１ｈの孔軸は、第３方向Ｃに沿っている。孔部１ｈの孔軸は、例えば平面視における天板部１ａ，１ｂの中心と重なっている。
【００３５】
図３、図５および図６に示されるように、４つの柱状部１ｃ〜１ｆの各々は、２つの屈曲部１ｂのいずれかと接続されている。４つの柱状部１ｃ〜１ｆは、第３方向Ｃに沿って延在している。平面視における４つの柱状部１ｃ〜１ｆの各々の外形は、例えば長方形状である。
【００３６】
４つの柱状部１ｃ〜１ｆは、略正方形状の天板部１ａ，１ｂの１つの対角に配置された第１組の柱状部（２つの柱状部）１ｃ，１ｅと、天板部１ａ，１ｂと他の対角に配置された第２組の柱状部（２つの柱状部）１ｄ，１ｆとを有している。
【００３７】
図３に示されるように、プリント基板２に取り付けられた端子台１において、平面視における第１組の柱状部１ｃ，１ｅの各々の長手方向は、互いに平行であり、例えば第１方向Ａに沿っている。このとき、平面視における第１組の柱状部１ｃ，１ｅの各々の短手方向は、互いに平行であり、例えば第２方向Ｂに沿っている。
【００３８】
図３に示されるように、プリント基板２に取り付けられた端子台１において、平面視における第２組の柱状部１ｄ，１ｆの各々の長手方向は、互いに平行であり、かつ第１組の柱状部１ｃ，１ｅの各々の長手方向に沿っている。このとき、平面視における第２組の柱状部１ｄ，１ｆの各々の短手方向は、互いに平行であり、かつ第１組の柱状部１ｃ，１ｅの各々の短手方向に沿っている。
【００３９】
異なる観点から言えば、４つの柱状部１ｃ〜１ｆは、上記第１辺１ｂａに沿って配置された第１の柱状部１ｃおよび第２の柱状部１ｄと、上記第１辺と平行に延びる第３辺に沿って配置された第３の柱状部１ｅおよび第４の柱状部１ｆとを有している。すなわち、第１の柱状部１ｃおよび第２の柱状部１ｄは、上記第１辺１ｂａを有する屈曲部１ｂと接続されており、かつ第１辺１ｂａの延在方向に間隔を隔てて配置されている。
【００４０】
第１の柱状部１ｃは、第３の柱状部１ｅと、その長手方向および短手方向に間隔を隔てて配置されている。第２の柱状部１ｄは、第４の柱状部１ｆと、上記長手方向および短手方向に間隔を隔てて配置されている。第１の柱状部１ｃは、第４の柱状部１ｆと、上記短手方向に間隔を隔てて配置されている。第２の柱状部１ｄは、第３の柱状部１ｅと上記短手方向に間隔を隔てて配置されている。
【００４１】
図３、図５および図６に示されるように、第１組の柱状部１ｃ，１ｅおよび第２組の柱状部１ｄ，１ｆは、孔部１ｈを中心として１８０度回転されたときに回転前の各々と一致するような回転対称性を有している。第１組の柱状部１ｃ，１ｅおよび第２組の柱状部１ｄ，１ｆは、孔部１ｈを中心として９０度回転されたときに回転前の各々と一致しない。
【００４２】
第１組の柱状部１ｃ，１ｅの各々の平面視における短手方向の長さＬ５に対する長手方向の長さＬ３の比率は、第２組の柱状部１ｄ，１ｆの各々の平面視における上記短手方向の長さＬ５に対する上記長手方向の長さＬ４の比率よりも大きい。第１組の柱状部１ｃ，１ｅの各々の平面視における上記短手方向の長さＬ５は、例えば第２組の柱状部１ｄ，１ｆの各々の平面視における上記短手方向の長さＬ５に等しい。ここで、各柱状部の長手方向は、平面視における各柱状部の外形の相対的に幅の広い方向である。各柱状部の短手方向は、平面視における各柱状部の外形の相対的に幅の狭い方向であり、上記長手方向と直交する。各柱状部の平面視における長手方向の長さは、各柱状部の平面視における外形の上記長手方向に沿った最大長さ（幅）である。各柱状部の平面視における短手方向の長さは、各柱状部の平面視における外形の上記短手方向に沿った最大長さ（幅）である。
【００４３】
図３および図５に示されるように、２つの壁部１ｇのうち、第１の壁部１ｇは、第１の柱状部１ｃと第２の柱状部１ｄとの間に位置し、かつ上記第１辺１ｂａと接続されている。第１の壁部１ｇの上記長手方向の一端は、第１の柱状部１ｃのうち屈曲部１ｂと接続されている側の端部を含む一部と接続されている。第１の壁部１ｇの上記長手方向の他端は、第２の柱状部１ｄのうち屈曲部１ｂと接続されている側の端部を含む一部と接続されている。
【００４４】
第２の壁部１ｇは、第３の柱状部１ｅと第４の柱状部１ｆとの間に位置し、かつ上記第３辺と接続されている。第２の壁部１ｇの上記長手方向の一端は、第３の柱状部１ｅのうち屈曲部１ｂと接続されている側の端部を含む一部と接続されている。第２の壁部１ｇの上記長手方向の他端は、第４の柱状部１ｆのうち屈曲部１ｂと接続されている側の端部を含む一部と接続されている。
【００４５】
端子台１は、任意の方法により製造され得るが、例えば１つの板状部材が成形加工されることにより製造されている。天板部１ａ，１ｂ、４つの柱状部１ｃ〜１ｆ、および２つの壁部１ｇは、例えば一体物として構成されている。第２方向Ｂの一方の側に配置される壁部１ｇおよび柱状部１ｃ，１ｄは、当該一方の側に配置される屈曲部１ｂを起点として平板部１ａに対し屈曲されている。第２方向Ｂの他方の側に配置される壁部１ｇおよび柱状部１ｅ，１ｆは、当該他方の側に配置される屈曲部１ｂを起点として平板部１ａに対し屈曲されている。
【００４６】
図７に示されるように、プリント基板２には、４つの孔部２ｃ〜２ｆが配置されている。４つの孔部２ｃ〜２ｆは、第１組の孔部（２つの孔部）２ｃ，２ｅと、第２組の孔部（２つの孔部）２ｄ，２ｆとを有している。第１組の孔部２ｃ，２ｅは、第１の孔部２ｃおよび第３の孔部２ｅを有している。第２組の孔部２ｄ，２ｆは、第２の孔部２ｄおよび第４の孔部２ｆを有している。平面視において、４つの孔部２ｃ〜２ｆの各々は、長方形状である。平面視において、第１組の孔部２ｃ，２ｅの各々の長手方向は、互いに平行であり、例えば第１方向Ａに沿って延在している。平面視において、第２組の孔部２ｄ，２ｆの各々の長手方向は、互いに平行であり、例えば第１方向Ａに沿って延在している。なお、図７中の２点鎖線は、平面視において端子台１の天板部１ａ，１ｂが配置される領域を示す。また、図７中の点線は、平面視において端子台１の孔部１ｈが配置される領域を示す。
【００４７】
第１の孔部２ｃは、第３の孔部２ｅと、その長手方向および短手方向に間隔を隔てて配置されている。第２の孔部２ｄは、第４の孔部２ｆと、上記長手方向および短手方向に間隔を隔てて配置されている。第１の孔部２ｃは、第２の孔部２ｄと上記長手方向に間隔を隔てて配置されており、かつ第４の孔部２ｆと上記短手方向に間隔を隔てて配置されている。第２の孔部２ｄは、第３の孔部２ｅと上記短手方向に間隔を隔てて配置されている。
【００４８】
図７に示されるように、第１組の孔部２ｃ，２ｅおよび第２組の孔部２ｄ，２ｆは、プリント基板２が１８０度回転されたときに回転前の各々と一致するような回転対称性を有している。第１組の孔部２ｃ，２ｅおよび第２組の孔部２ｄ，２ｆは、プリント基板２が９０度回転されたときに回転前の各々と一致しない。すなわち、平面視における４つの孔部２ｃ〜２ｆの各形状は長方形である。
【００４９】
第１組の孔部２ｃ，２ｅの各々における短手方向の孔径Ｌ８に対する長手方向の孔径Ｌ６の比率は、第２組の孔部２ｄ，２ｆの各々における短手方向の孔径Ｌ８に対する長手方向の孔径Ｌ７の比率よりも大きい。ここで、各孔部の長手方向は、平面視における各孔部の外形の相対的に幅の広い方向である。各孔部の短手方向は、平面視における各孔部の外形の相対的に幅の狭い方向であり、上記長手方向と直交する。各孔部の平面視における長手方向の長さは、各孔部の平面視における外形の上記長手方向に沿った最大長さ（幅）である。各孔部の平面視における短手方向の長さは、各孔部の平面視における外形の上記短手方向に沿った最大長さ（幅）である。
【００５０】
第１組の柱状部１ｃ，１ｅの各々における短手方向の長さＬ５に対する長手方向の長さＬ３の比率は、第１組の孔部２ｃ，２ｅの各々における短手方向の孔径Ｌ８に対する長手方向の孔径Ｌ６の比率に略等しい。第２組の柱状部１ｄ，１ｆの各々における短手方向の長さＬ５に対する長手方向の長さＬ４の比率は、第２組の孔部２ｄ，２ｆの各々における短手方向の孔径Ｌ８に対する長手方向の孔径Ｌ７の比率と略等しい。つまり、第１組の柱状部１ｃ，１ｅの各々における短手方向の長さＬ５に対する長手方向の長さＬ３の比率は、第２組の孔部２ｄ，２ｆの各々における短手方向の孔径Ｌ８に対する長手方向の孔径Ｌ７の比率よりも大きい。
【００５１】
第１組の柱状部１ｃ，１ｅの各々における長手方向の長さＬ３は、第１組の孔部２ｃ，２ｅの各々における上記長手方向の孔径Ｌ６よりも短い。第２組の柱状部１ｄ，１ｆの各々における上記長手方向の長さＬ４は、第２組の孔部２ｄ，２ｆの各々における上記長手方向の孔径Ｌ７よりも短い。第１組の柱状部１ｃ，１ｅおよび第２組の柱状部１ｄ，１ｆの各々における上記短手方向の長さＬ５は、第２組の孔部２ｄ，２ｆの各々における上記短手方向の孔径Ｌ８よりも短い。第１組の柱状部１ｃ，１ｅの各々における上記長手方向の長さＬ３は、第２組の孔部２ｄ，２ｆの各々における上記長手方向の孔径Ｌ７よりも長く、第２組の孔部２ｄ，２ｆの各々における上記短手方向の孔径Ｌ８よりも長い。第２組の柱状部１ｄ，１ｆの各々における上記長手方向の長さＬ４は、第１組の孔部２ｃ，２ｅの各々における上記短手方向の孔径Ｌ８よりも長い。
【００５２】
そのため、第１組の孔部２ｃ，２ｅの各々には第１組の柱状部１ｃ，１ｅのいずれかが挿入され得る。第２組の孔部２ｄ，２ｆの各々には第２組の柱状部１ｄ，１ｆのいずれかが挿入され得る。一方で、第１組の柱状部１ｃ，１ｅの各々は、プリント基板２に向けて押圧されたとしても、第２組の孔部２ｄ，２ｆの各々に挿入され得ない。
【００５３】
端子台１は、プリント基板２に対して以下の第１の状態または第２状態にあるときのみ、プリント基板２に固定され得る。第１の状態では、第１の柱状部１ｃが第１の孔部２ｃに、第２の柱状部１ｄが第２の孔部２ｄに、第３の柱状部１ｅが第３の孔部２ｅに、第４の柱状部１ｆが第４の孔部２ｆに、それぞれ挿入されている。第２の状態では、第１の柱状部１ｃが第３の孔部２ｅに、第２の柱状部１ｄが第４の孔部２ｆに、第３の柱状部１ｅが第１の孔部２ｃに、第４の柱状部１ｆが第２の孔部２ｄに、それぞれ挿入されている。第２状態は、第１状態にある端子台１およびプリント基板２の一方を他方に対し１８０度回転させた状態である。
【００５４】
孔部１ｈにはネジ４が挿入され得る。ネジ４は、上記第１状態または第２状態にある端子台１の孔部１ｈ、および端子台１との間に入出力線の心線を挟むように配置された座金３の貫通孔に挿入され、端子台１に対し固定されている。このとき、入出力線の心線が端子台１と座金３との間に挟まれた状態で端子台１に対し固定されることにより、入出力線の心線はプリント基板２上に配置された電気回路と電気的に接続される。
【００５５】
図１および図２に示されるように、上記第１状態または第２状態にある端子台１の壁部１ｇの少なくとも一部は、上述したケース部５の凹部５ａ内に配置されている。具体的には、第１状態および第２状態にある端子台１を第２方向Ｂから視たときに、壁部１ｇの少なくとも一部は凹部５ａ内に配置されている。好ましくは、凹部５ａを第２方向Ｂの前方から視たときに、端子台１の天板部１ａ，１ｂおよび４つの柱状部１ｃ〜１ｆの内側に位置する面が露出していない。好ましくは、前縁部５ｃは、壁部１ｇと接触している。
【００５６】
＜作用効果＞
次に、本実施の形態の効果について、図１３〜図１５に示す比較例の構成と対比して説明する。
【００５７】
図１３および図１４に示されるように、比較例では、４つの柱状部１０１ｃを挿入するための４つの孔部１０２ｃの各々は同一の構成を有している。そのため、比較例の４つの柱状部１０１ｃの各々は同一の構成を有している。比較例の４つの柱状部１０１ｃの各々の長手方向の長さは短手方向の長さよりも長く、かつ比較例の４つの柱状部１０１ｃの各々の短手方向の長さに対する長手方向の長さの比率は等しい。
【００５８】
なお、これ以外の比較例の漏電安全装置の各構成は、本実施の形態の漏電安全装置１０の各構成とほぼ同じであるため、同一の要素については同一の符号を付し、その説明を繰り返さない。
【００５９】
比較例では、平面視における端子台１０１の天板部１０１ａ，１０１ｂの外形は略正方形状である。そのため、比較例の端子台１０１をプリント基板１０２に取り付ける際に、プリント基板１０２に対する端子台１０１の向きが予め定められた取り付けられるべき向きとは９０度傾いた状態で、上記取り付けが実施される場合がある。さらに、比較例では、上述のように、４つの柱状部１０１ｃおよび４つの孔部１０２ｃの各々の外形が略正方形状である。そのため、上記のような誤った取り付けが実施される際には、端子台１０１がプリント基板１０２に向かって押圧されることにより、長手方向が第２方向Ｂに沿うように配置された４つの柱状部１０１ｃの各々は、長手方向が第１方向Ａに沿うように配置された４つの孔部１０２ｃの各々に挿入され得る。この場合、４つの孔部１０２ｃの各々が４つの柱状部１０１ｃにより第２方向Ｂに押し広げられるため、プリント基板１０２が破損し易い。
【００６０】
また、図１５に示されるように、上記のような誤った取り付けが実施された場合、端子台１０１の壁部１０１ｇ（図１３）はケース部１０５の側壁部１０５ｂと長手方向において向かい合うように配置される。そのため、壁部１０１ｇの一部は、上述したケース部１０５の凹部１０５ａ内に配置されておらず、ケース部１０５の前縁部１０５ｃと該ケース部１０５に実装された端子台１０１との間には隙間１１０が広く形成される。その結果、当該隙間１１０から端子台１０１の内側に塵埃等が侵入するという問題がある。
【００６１】
比較例による上記問題を解決する手段として、例えば以下の２つの手段が考えられる。１つ目の手段として、平面視における天板部の外形を長方形状とすることが考えられる。しかし、例えば風呂釜付き給湯装置に装備される漏電安全装置など、電気機器によっては端子台の寸法に対して厳しい制限が課されている。平面視における天板部の外形を長方形状とすると、端子台の寸法が大きくなるため、これらのような解決手段を採用できないという問題がある。また、２つ目の手段として、４つの柱状部および４つの孔部の各々について、短手方向の長さに対する長手方向の長さの比率を比較例よりも大きくすることも考えられる。しかし、このようにした場合、プリント基板の挿入孔の寸法が大きくなるため、プリント基板の強度が低下する。
【００６２】
これに対し、本実施の形態の漏電安全装置１０では、第１組の柱状部１ｃ，１ｅの各々における短手方向の長さＬ５に対する長手方向の長さＬ３の比率は、第２組の柱状部１ｄ，１ｆの各々における短手方向の長さＬ５に対する長手方向の長さＬ４の比率よりも大きい。さらに、第１組の孔部２ｃ，２ｅの各々における短手方向の孔径Ｌ８に対する長手方向の孔径Ｌ６の比率は、第２組の孔部２ｄ，２ｆの各々における短手方向の孔径Ｌ８に対する長手方向の孔径Ｌ７の比率よりも大きい。さらに、上記第１組の柱状部１ｃ，１ｅの各々の短手方向の長さＬ５は、第２組の柱状部１ｄ，１ｆの各々の短手方向の長さＬ５と等しい。上記第１組の孔部２ｃ，２ｅの各々の短手方向の孔径Ｌ８は、第２組の孔部２ｄ，２ｆの各々の短手方向の孔径Ｌ８と等しい。
【００６３】
そのため、長手方向が第１方向Ａに沿うように配置された第１組の柱状部１ｃ，１ｅの各々は、長手方向が第１方向Ａに沿うように配置された上記第１状態または第２状態において、第１組の孔部２ｃ，２ｅの各々に挿入され得る。しかし、長手方向が第２方向Ｂに沿うように配置された第１組の柱状部１ｃ，１ｅの各々は、プリント基板２に向けて押圧されたとしても、長手方向が第１方向Ａに沿うように配置されており、かつ上記比率が第１組の柱状部１ｃ，１ｅのそれよりも小さい第２組の孔部２ｄ，２ｆに挿入され得ない。そのため、漏電安全装置１０は、天板部１ａ，１ｂの外形を長方形状とすることなく、本来取り付けられるべき向きに対し誤って９０度回転された端子台１がプリント基板２に取り付けられることを十分に防止することができる。その結果、漏電安全装置１０では、端子台１の柱状部がプリント基板２の孔部に誤挿入されることによるプリント基板２の破損が防止されている。
【００６４】
上記漏電安全装置１０によれば、４つの孔部２ｃ〜２ｆの各々について短手方向の長さに対する長手方向の長さの比率を比較例よりも大きくすることなく、比較例で生じ得る上記誤挿入を防止することができる。つまり、上記漏電安全装置１０によれば、プリント基板２の強度を低下させることなく、上記誤挿入を防止することができる。
【００６５】
上記漏電安全装置１０の端子台１は、第１の柱状部１ｃと第２の柱状部１ｄとの間に位置し、かつ第１辺１ｂａと接続された第１の壁部１ｇをさらに含む。第１の壁部１ｇは、端子台１が第１状態および第２状態にあるときに、凹部５ａ内に配置されている。これにより、漏電安全装置１０では、第１の壁部１ｇにより、ケース部５と該ケース部５に実装された端子台１との間に形成される隙間は比較例の上記隙間１１０（図１５参照）と比べて小さく、当該隙間から端子台１の内側、すなわちケース部５の内部への塵埃等の侵入が抑制されている。
【００６６】
上記端子台１は、第３の柱状部１ｅと第４の柱状部１ｆとの間に位置し、かつ上記第３辺と接続された第２の壁部１ｇをさらに含む。そのため、端子台１が上記第２状態にあるときに、第２の壁部１ｇは凹部５ａ内に配置される。つまり、当該漏電安全装置１０では、端子台１が上記第１状態または第２状態にあるときにのみケース部５に実装され、かつ端子台１がケース部５に実装されているときには第１または第２の壁部１ｇが凹部５ａ内に配置される。その結果、当該漏電安全装置１０では、第１および第２の壁部１ｇにより、ケース部５と該ケース部５に実装された端子台１との間に形成される隙間は比較例のそれと比べて狭くされ得るため、当該隙間から端子台１の内側への塵埃等の侵入が抑制されている。
【００６７】
好ましくは、端子台１が実装されたケース部５の凹部５ａを第２方向Ｂの前方から視たときに、端子台１においては天板部１ａ，１ｂおよび壁部１ｇの外周面のみが露出している。言い換えると、端子台１の内周面が露出しておらず、上記隙間は形成されていない。このようにすれば、上記隙間から端子台１の内側に塵埃等が侵入することを防止できる。
【００６８】
＜変形例＞
次に本実施の形態の端子台１およびプリント基板２の構成の変形例について説明する。平面視における４つの柱状部１ｃ〜１ｆおよび４つの孔部２ｃ〜２ｆの各外形は、長方形状に限られるものではなく、任意の形状であればよい。
【００６９】
図８に示されるように、平面視における第１組の孔部２ｃ，２ｅの外形は、楕円形状であってもよい。平面視における第２組の孔部２ｄ，２ｆの外形は、長方形状であってもよい。第１組の孔部２ｃ，２ｅの各々の平面視における長手方向の孔径Ｌ６は、それらの長軸の長さである。第１組の孔部２ｃ，２ｅの各々の平面視における短手方向の孔径Ｌ８は、それらの短軸の長さである。この場合、平面視における第１組の柱状部１ｃ，１ｅおよび第２組の柱状部１ｄ，１ｆの各外形（図４参照）は楕円状および長方形状である。第１組の柱状部１ｃ，１ｅの各々の平面視における長手方向の長さは、それらの長軸の長さである。第１組の柱状部１ｃ，１ｅの各々の平面視における短手方向の長さは、それらの短軸の長さである。
【００７０】
図９に示されるように、平面視における第２組の孔部２ｄ，２ｆの外形は、円形状であってもよい。第２組の孔部２ｄ，２ｆの各々の平面視における方向Ａの孔径Ｌ７および方向Ｂの孔径Ｌ９は、それらの直径である。この場合、平面視における第２組の柱状部１ｄ、１ｆ（図４参照）の外形は、円形状であってもよい。第２組の柱状部１ｄ、１ｆの各々の平面視における長手方向の長さおよび短手方向の長さは、それらの直径である。
【００７１】
図１０に示されるように、平面視における第１組の孔部２ｃ，２ｅの外形は、台形状であってもよい。第１組の孔部２ｃ，２ｅの各々の平面視における長手方向の孔径Ｌ６は、例えばそれらの上辺および下辺のうちの相対的に長い一辺の長さである。第１組の孔部２ｃ，２ｅの各々の平面視における短手方向の孔径Ｌ８は、例えばそれらの上辺と下辺との間の距離である。この場合、平面視における第１組の柱状部１ｃ、１ｅ（図４参照）の外形は、台形状であってもよい。
【００７２】
図１１に示されるように、平面視における第１組の孔部２ｃ，２ｅの外形は、Ｌ字形状であってもよい。この場合、平面視における第１組の柱状部１ｃ、１ｅ（図４参照）の外形は、Ｌ字形状であってもよい。第１組の孔部２ｃ，２ｅの各々の平面視における短手方向の孔径Ｌ８は、第２組の孔部２ｄ，２ｆの各々の平面視における短手方向の孔径Ｌ９よりも長くてもよい。
【００７３】
図８〜図１１のような構成としても、第１組の柱状部の各々における短手方向の長さに対する長手方向の長さの比率は、第２組の柱状部の各々における上記短手方向（第１組の柱状部の短手方向）の長さに対する上記長手方向（第１組の柱状部の長手方向）の長さの比率よりも大きくされ得る。また、第１組の孔部２ｃ，２ｅの各々における短手方向（第１組の柱状部の短手方向に沿っている）の長さに対する長手方向（第１組の柱状部の長手方向に沿っている）の長さの比率は、第２組の孔部２ｄ，２ｆの各々における上記短手方向（第１組の孔部の短手方向）の長さに対する上記長手方向（第１組の孔部の長手方向）の長さの比率よりも大きくされ得る。
【００７４】
なお、平面視における第１組の孔部２ｃ，２ｅの外形が、図１１に示されるようなＬ字形状である場合、第１組の孔部２ｃ，２ｅの各々における短手方向の長さに対する長手方向の長さの比率は、第２組の孔部２ｄ，２ｆの各々における短手方向の長さに対する長手方向の長さの比率以下であってもよい。
【００７５】
この場合、平面視における第１組の孔部２ｃ，２ｅの外形において、長手方向に沿って延在する部分２０（図１１参照）の短手方向の幅Ｌ１０に対する長手方向の孔径Ｌ６の比率が、第２組の孔部２ｄ，２ｆの各々における短手方向の孔径Ｌ９に対する長手方向の孔径Ｌ７の比率よりも大きい。同様に、平面視における第１組の柱状部１ｃ、１ｅ（図４参照）の外形において、長手方向に沿って延在する部分の短手方向の長さに対する長手方向の長さの比率が、第２組の柱状部１ｄ，１ｆ（図４参照）の各々における短手方向の長さに対する長手方向の長さの比率よりも大きい。
【００７６】
また、平面視における第１組の孔部２ｃ，２ｅの外形が、図１１に示されるようなＬ字形状である場合、平面視における第１組の柱状部１ｃ、１ｅ（図４参照）の外形は、長方形状であってもよい。例えば、第１組の柱状部１ｃ、１ｅは、例えば第１組の孔部２ｃ，２ｅのＬ字形状の長手方向に延在する部分にのみ挿入され得るように設けられていてもよい。
【００７７】
図１２に示されるように、プリント基板２には、６つの孔部が配置されていてもよい。この場合、端子台１は、６つの柱状部を含んでいてもよい。
【００７８】
プリント基板２には、第１組の孔部２ｃ，２ｅ、第２組の孔部２ｄ，２ｆに加え、第３組の孔部２ｉ，２ｊがさらに配置されている。第３組の孔部２ｉ，２ｊは、プリント基板２を１８０度回転されたときに回転前の各々と一致するような回転対称性を有している。孔部２ｉは、例えば第１組の孔部２ｃと第２組の孔部２ｄとの間に配置されている。孔部２ｊは、例えば第１組の孔部２ｅと第２組の孔部２ｆとの間に配置されている。端子台は、第３組の孔部２ｉ，２ｊに挿入されるべき第３組の柱状部をさらに含む。平面視における第２組の孔部２ｄ，２ｆおよび第３組の孔部２ｉ，２ｊの各々の形状は、例えば略正方形状である。
【００７９】
図８〜図１２に示される構成としても、長手方向が第２方向Ｂに沿うように配置された第１組の柱状部（図４参照）の各々は、プリント基板２に向けて押圧されたとしても、長手方向が第１方向Ａに沿うように配置されており、かつ上記比率が第１組の柱状部１ｃ，１ｅのそれよりも小さい第２組の孔部２ｄ，２ｆに挿入され得ない。
【００８０】
よって、図８〜図１２に示されるプリント基板２およびそれに対応する端子台１を備える漏電安全装置１０は、天板部１ａ，１ｂの外形を長方形状とすることなく、上記取り付けられるべき向きに対し誤って９０度回転された端子台１がプリント基板２に取り付けられることを十分に防止し得る。
【００８１】
なお、第１組の柱状部１ｃ，１ｅおよび第１組の孔部２ｃ，２ｅの各々の長手方向は、任意の方向に沿って延在していればよく、例えば第２方向Ｂに沿って延在していてもよい。また、プリント基板２に配置される孔部は、プリント基板２を貫通する貫通孔であってもよいし、プリント基板２を貫通していないくぼみであってもよい。
【００８２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８３】
１  端子台、１ａ，１ｂ  天板部、１ａ  平板部、１ｂ  屈曲部、１ｂａ  第１辺、１ｃ  第１の柱状部、１ｄ  第２の柱状部、１ｅ  第３の柱状部、１ｆ  第４の柱状部、１ｇ  壁部、１ｈ  孔部、２  プリント基板、２ｃ  第１の孔部、２ｄ  第２の孔部、２ｅ  第３の孔部、２ｆ  第４の孔部、３  座金、４  ネジ、５  ケース部、５ａ  凹部、５ｂ  側壁部、５ｃ  前縁部、６  カバー、１０  漏電安全装置。
【図１】
2018081863.tif 000003
【図２】
2018081863.tif 000004
【図３】
2018081863.tif 000005
【図４】
2018081863.tif 000006
【図５】
2018081863.tif 000007
【図６】
2018081863.tif 000008
【図７】
2018081863.tif 000009
【図８】
2018081863.tif 000010
【図９】
2018081863.tif 000011
【図１０】
2018081863.tif 000012
【図１１】
2018081863.tif 000013
【図１２】
2018081863.tif 000014
【図１３】
2018081863.tif 000015
【図１４】
2018081863.tif 000016
【図１５】
2018081863.tif 000017